(57)【要約】  本発明は、コンパクトな構成で、かつ低電力で動作させても、高吐出圧力、大容量で無脈流なポンプを提供することを目的としている。そして、本発明は該目的を達成するために、ポンプ室（１７）と、液体をポンプ室に吸入する際に開放される吸入弁（Ｖ１）を介して液体をポンプ室に吸入する吸入路（３４）と、該ポンプ室から液体を吐出する際に開放される吐出弁（Ｖ２）を介して液体をポンプ室の外に吐出するための吐出路（４３）と、該ポンプ室と連通されたシリンダ（１１）と、該シリンダ内に摺動自在に設けられ、かつバネ（１６）により下死点側に付勢されたプランジャ（１２）と、当該プランジャと当接して当該プランジャを上方に打撃する移動子（Ｐ）とからなり、前記移動子が電動モータ（２２）の回転軸（２１）の回転運動を上下運動に変換する運動変換手段（２０ａ，２０ｂ，２０ｃ）を介して上下運動し、下降中のプランジャが前記移動子とが離間されていることを特徴としている。【特許請求の範囲】
【請求項１】
ポンプ室と、
液体をポンプ室に吸入する際に開放される吸入弁を介して液体をポンプ室に吸入する吸入路と、
該ポンプ室から液体を吐出する際に開放される吐出弁を介して液体をポンプ室の外に吐出するための吐出路と、
該ポンプ室と連通されたシリンダと、
該シリンダ内に摺動自在に設けられ、かつバネにより下死点側に付勢されたプランジャと、
当該プランジャと当接して当該プランジャを上方に打撃する移動子と
からなり、
前記移動子が電動モータの回転軸の回転運動を上下運動に変換する運動変換手段を介して上下運動し、
下降中のプランジャと前記移動子とが離間されている
ことを特徴とするポンプ。
【請求項２】
前記吐出路が、弾力のある樹脂製チューブと接続されてなる請求の範囲第１項記載のポンプ。
【請求項３】
前記運動変換手段および移動子が、前記電動モータの回転軸に連結された偏心カムである請求の範囲第１項または第２項記載のポンプ。
【請求項４】
前記運動変換手段が、前記電動モータの回転軸にその一端が連結されたクランクアームと、該クランクアームの他端にクランクピンを介してその一端に揺動可能に取りつけられた連接棒とからなり、前記移動子が該連接棒の他端に揺動可能に取り付けられ、上下方向に延びるガイド部材に案内される請求の範囲第１項または第２項記載ポンプ。
【請求項５】
前記吸入弁および吐出弁が、
互いに連通され液体が流通する下方側流路および上方側流路と、
該下方側流路と上方側流路との接続部に設けられた弁座と、
該上方側流路内に設けられる弁体と、
該弁体の移動距離を制限するための移動制限手段と
を備えた逆止弁であって、
前記弁体が、前記弁座に支持可能に設けられた本体と、該本体の下方側に設けられ、当該逆止弁の開閉応答性を調整するための調整手段とを備えてなる
請求の範囲第１項、第２項、第３項または第４項記載のポンプ。
【発明の詳細な説明】
【技術分野】
【０００１】
本発明は往復動ポンプ（以下、ポンプという）に関する。さらに詳しくは、ポンプ室と連通されたシリンダと、該シリンダ内に摺動自在に設けられ、かつバネにより下死点側に付勢されたプランジャと、当該プランジャと当接して当該プランジャを上方に打撃する移動子とからなり、前記移動子が電動モータの回転軸の回転運動を上下運動に変換する運動変換手段を介して上下運動し、下降中のプランジャと前記移動子とが離間され、ポンプ室の外に吐出される液体の高速微振動が、実質的に無脈流になるポンプに関する。
【背景技術】
【０００２】
クランクにより滑り子が作動させられる場合に、またはその逆の場合において、滑り子と摺動部間に起る側圧を減少させ、それにより効率の改善されたクランク機構を提供することを目的としたポンプが、たとえば特開平８−３０３２５４号公報に開示されている。【０００３】
特開平８−３０３２５４号公報に開示されたクランク機構は、連結杆の一方を揺動自在に軸支させ、かつ摺動部に摺動自在に設けられている滑り子と、前記摺動部の、前記連結杆方向の端部に設けられた、間隔を隔てて平行に設けられた２つの通路からなる平行通路と、前記連結杆の他方に軸支され、かつ該平行通路内に回転自在に位置させられている車輪と、前記連結杆の他方に揺動自在に設けられた連接杆と、該連接杆に回動自在に設けられた、クランク軸のクランクピンからなるものである。【０００４】
また、腐食性ガスや反応性の高いガスを漏洩なく輸送または循環させるのに適した、ガス流量の均一性が高いガラス製電磁駆動ポンプを提供することを目的としたポンプが、たとえば特開２００２−１０６４６３号公報に開示されている。【０００５】
特開２００２−１０６４６３号公報に開示されたポンプは、一端に排気口または吸気口と、逆止弁機構を有するガラス製円筒、前記円筒内に設けられており、中央部分に通気孔を有し、前記ガラス製円筒内を摺動することができるガラス製プランジャ、前記ガラス製プランジャの内壁に密接一体化して設けられており、排気口側または吸気口側には開口部を、反対側には密閉部をそれぞれ形成し、または排気口側と吸気口側の両方に密閉部を形成し、該密閉部には通気孔を形成したガラス製連通部材、前記ガラス製連通部材の端部に接続しており、内部に棒状磁性体を密閉封入してなる駆動用ガラス被覆磁性部材、前記駆動用ガラス被覆磁性部材の外周を一定の間隔をおいて、取り囲むとともに、前記ガラス製円筒と接続したガラス製連結管、前記ガラス製連結管内の駆動用ガラス被覆磁性部材を駆動させるため、前記ガラス製連結管をとりまくように配置された１個または複数の電磁駆動用コイル、よりなるものである。【０００６】
さらに、ステッピングモータを駆動源とするプランジャポンプのカムとして偏心カムを用いることが特開平２−６４２７３号公報に開示されている。【０００７】
従来のダイヤフラムポンプおよびプランジャポンプの場合、吐出される液体の流れは、いずれも完全な無脈流ではなく、たとえば、特開２００４−２３２６１６号公報に開示されたポンプの場合、運転条件の変化によって変わる脈動を自動的に補償して、常時、無脈動で運転を行うために、ダイアラムポンプの吐出期間の初期における吐出量の減少を、その期間の直前にプランジャを吐出方向に駆動してポンプ室の容積を減少することによって防止しており、このポンプ室容積の減少を、減少する吐出量より大きくし、その差に相当する作動流体を排出機構より排出している。また、吐出側の管路に脈動センサを設け、このセンサの信号に基づき制御部が脈動を検出している。そして制御部は、この脈動を消すように前記排出機構の排出量を調整している。【０００８】
また、特開２００４−１０８１８８号公報に開示されたポンプの場合、ポンプを構成するダイアフラムポンプの吐出期間の初期において、吐出量が減少する。吐出期間の前であり吸込期間との間の補償期間にダイアフラムポンプのプランジャを駆動制御して、吐出量の減少量より、やや大きくポンプ室の容積を減少させる。補償期間において、ポンプ室容積を増加させる副室を設け、この副室の容積の増加量によりポンプ室の容積の減少量を修正して、吐出量の減少量に等しい補償量を得る。副室の容積の増加量を調整可能とすることで、運転条件の変化に対応している。
【発明の開示】
【０００９】
特開平２−６４２７３号公報に開示されたカム機構を用いた場合、モータの回転数を上昇させていくと、プランジャとクランクの移動子とが常時接触している場合、プランジャを下死点側に付勢しているバネの強さが強ければ、プランジャ側壁の磨耗が大きくなり、ポンプ寿命を縮める事になる。また逆止弁の応答性も高速に対応出来ないため、比較的低回転で吸入側の弁と吐出側の弁とが同時に開放してしまい、吐出量が低下するという問題がある。
【００１０】
さらに、従来のダイヤフラムポンプおよびプランジャポンプには、複数台のポンプを用いたり、副室を設けて脈動を擬似的に無脈流にする（整流する）ものがあるものの、実質的に無脈流が得られるポンプはいまだ提案されていない。また、吸収液を使う形式のガス濃度測定装置では、吸収液の送液に脈流が存在すると測定値にも波動が出やすくなり、それを防ぐために測定値指示の応答性を遅くすることが行なわれている。応答性の優れた測定装置を実現するには実質的に無脈流なポンプが望まれている。
【００１１】
かかる従来の問題は、プランジャとクランクの移動子とが常時接触していること、プランジャとバネの復帰力が最適化されていない、吸入弁と吐出弁の応答性およびモータの回転数が最適化されていないことによる。本発明は、コンパクトな構成で、かつ低電力で動作させても、高吐出圧力、大容量が得られるばかりでなく、実質的に無脈流が得られるポンプを提供することを目的としている。
【００１２】
本発明の第一の態様にかかわるポンプは、
ポンプ室と、
液体をポンプ室に吸入する際に開放される吸入弁を介して液体をポンプ室に吸入する吸入路と、
該ポンプ室から液体を吐出する際に開放される吐出弁を介して液体をポンプ室の外に吐出するための吐出路と、
該ポンプ室と連通されたシリンダと、
該シリンダ内に摺動自在に設けられ、かつバネにより下死点側に付勢されたプランジャと、
当該プランジャと当接して当該プランジャを上方に打撃する移動子と
からなり、
前記移動子が電動モータの回転軸の回転運動を上下運動に変換する運動変換手段を介して上下運動し、
下降中のプランジャと前記移動子とが離間されている
ことを特徴としている。
【００１３】
また、前記吐出路が、弾力のある樹脂製チューブと接続されると、無脈流の流れが得られるという利点がある。
【００１４】
また、前記運動変換手段および移動子が、前記電動モータの回転軸に連結された偏心カムであってもよい。
【００１５】
また、前記運動変換手段が、前記電動モータの回転軸にその一端が連結されたクランクアームと、該クランクアームの他端にクランクピンを介してその一端に揺動可能に取りつけられた連接棒とからなり、前記移動子が該連接棒の他端に揺動可能に取り付けられ、上下方向に延びるガイド部材に案内されてもよい。
【００１６】
また、前記吸入弁および吐出弁が、
互いに連通され液体が流通する下方側流路および上方側流路と、
該下方側流路と上方側流路との接続部に設けられた弁座と、
該上方側流路内に設けられる弁体と、
該弁体の移動距離を制限するための移動制限手段と
を備えた逆止弁であって、
前記弁体が、前記弁座に支持可能に設けられた本体と、該本体の下方側に設けられ、当該逆止弁の開閉応答性を調整するための調整手段とを備えてなる
ことが好ましい。
【図面の簡単な説明】
【００１７】
【図１】本発明のポンプを示す説明図である。
【図２】図１のポンプに適用されるバッファ槽の一例を示す説明図
【図３】本実施の形態のポンプの運動を模式的に示したグラフである。
【図４】図１のポンプのモータ回転数と吐出量との関係を示すグラフである。
【図５】（ａ）は図１のポンプに適用される逆止弁の一例を示す断面説明図であり、（ｂ）は弁体の構造を示す断面説明図である。
【図６】図５のバルブの固定子を示す断面説明図である。
【発明を実施するための最良の形態】
【００１８】
添付図面を参照しながら本発明の実施の形態にかかわるポンプについて以下に詳細に説明する。【００１９】
図１は本発明のポンプを示す説明図、図２は図１のポンプに適用されるバッファ槽の一例を示す説明図、図３は本発明のポンプの駆動方法を模式的に説明したグラフ、図４は図１のポンプのモータ回転数と吐出量との関係を示すグラフ、図５の（ａ）は図１のポンプに適用される逆止弁の一例を示す断面説明図、図５の（ｂ）は弁体の構造を示す断面説明図、図６は図５の逆止弁の固定子を示す断面説明図である。【００２０】
実施の形態１
図１を参照すると、本実施の形態にかかわるポンプ１は、ポンプ室１７と、液体をポンプ室１７に吸入する際に開放される吸入弁Ｖ１を介して液体をポンプ室１７に吸入する上下方向に延びる吸入路３４と、ポンプ室１７から液体を吐出する際に開放される吐出弁Ｖ２を介して液体をポンプ室１７の外に吐出するための上下方向に延びる吐出路４３と、ポンプ室１７と連通されたシリンダ１１と、シリンダ１１内に摺動自在に設けられ、かつバネ１６により下死点側に付勢されたプランジャ１２と、プランジャ１２と当接して当該プランジャ１２を上方に打撃する移動子Ｐから構成されており、移動子Ｐが電動モータ２２の回転軸２１の回転運動を上下運動に変換する運動変換手段を介して上下運動し、下降中のプランジャ１２と移動子Ｐとが離間されている。本発明のポンプ１は、高速運転するため、ポンプ室１７の外に高速振動の液体の流れを生成する。この高速振動の液体の流れは、ポンプ１に接続される配管系における樹脂製のチューブにより無脈流になる（平滑化される）。【００２１】
なお、吐出弁Ｖ２の出口と吐出路４３との間にバッファ槽５０を設けてもよい。このようにしても（図２参照）、ポンプ１により吐き出される液体の脈動を平滑にすることができる。【００２２】
運動変換手段としては、たとえば図１に示されたものが採用される。図１に示された運動変換手段は、モータ２２の回転軸２１に連結されたクランクアーム２０ａと、クランクアーム２０ａにクランクピン２０ｂを介して一端が揺動可能に取りつけられた連接棒２０と、連接棒２０ｃの他端に揺動可能に取り付けられ、円筒状のスリーブＳ内を摺動するクランクの移動子Ｐとから構成されている。しかし、本発明の運動変換手段はかかる構成に限定されるものではない。たとえば、モータ２２の回転軸２１に偏心して連結されたカムのほか当業者に自明の修正、変更または変形は本発明に含まれる。【００２３】
つぎに、本発明のポンプ１の駆動方法を模式的に説明する（図４参照）。なお、図中参照符号Ｗ２はプランジャ１２の時間と工程との関係を示す模式図であり、Ｗ１はクランクの移動子Ｐの時間と工程との関係を示す模式図である。【００２４】
停止中のポンプ１に電源を投入して、モータ２２を起動し、クランクの移動子Ｐがプランジャ１２から離間している状態からプランジャ１２と当接するまでの第一の期間Ｔ１のあいだクランクの移動子Ｐを上方に移動させる（ステップ（ａ））。【００２５】
第一の期間Ｔ１の終了後、プランジャ１２が上死点ＤＣ２に達するまでの第二の期間Ｔ２のあいだ、バネ１６の付勢力に抗してクランクの移動子Ｐをプランジャ１２に打撃的に接触後、上方に移動させ、吸入弁Ｖ１を閉鎖し、かつ吐出弁Ｖ２を開放して、ポンプ室１７内の液体を吐出弁Ｖ２から排出させる（ステップ（ｂ））。【００２６】
第二の期間Ｔ２の終了後、プランジャ１２が上死点ＤＣ２から前記移動子の動きに少し遅れて下降し（図３の破線Ｗ２で示す）、下死点ＤＣ１に到達して静止状態のとき、移動子が下死点まで下降したのち再び上昇して、プランジャ１２と当接するまでの第三の期間Ｔ３のあいだ、吸入弁を開放し、かつ吐出弁を閉鎖して、前記ポンプ室に液体を流入する（ステップ（ｃ））。【００２７】
このように、ＤＣ１の位置で静止期間を設けることにより、プランジャ１２の動作の遅れに余裕をもたせることができ、シリンダ１１に加えられる余分な力が解放される。【００２８】
第三の期間Ｔ３の終了後、ポンプ１の電源を遮断するまで、ステップ（ｂ）とステップ（ｃ）とを繰り返し実行する（ステップ（ｄ））。【００２９】
本実施の形態の駆動方法によって得られる、上下運動は液体のポンプとしては高速な１０〜３０回／秒であり（これは、人間の眼でみたとき、微振動状態が持続しているように見える。その上、接続される柔軟なチューブなどにより脈流が吸収され実質的に無脈流となる。【００３０】
なお、第二の期間Ｔ２に対する第三の期間Ｔ３の比率（Ｔ３／Ｔ２）は、１＜（Ｔ３／Ｔ２）＜１．２の範囲にあることがポンプの吐出力を最大限まで発揮させるうえで好ましいが、（Ｔ３／Ｔ２）が１のときであって、プランジャ１２によりシリンダ１１にかかる応力が解放されると利点がある。【００３１】
また、本実施の形態のポンプ１に、後述する実施の形態２に示される逆止弁を適用すると、吸入弁と吐出弁の応答性を最適化することができる。【００３２】
本実施の形態のポンプ１は、つぎのとおり駆動することもできる。【００３３】
停止中のポンプ１に電源を投入して、モータ２２を起動し、クランクの移動子Ｐがプランジャ１２から離間している状態からプランジャ１２と当接するまでの第一の期間Ｔ１のあいだクランクの移動子Ｐを上方に移動させる（ステップ（ａ１））。【００３４】
第一の期間Ｔ１の終了後、プランジャ１２が上死点ＤＣ２に達するまでの第二の期間Ｔ２のあいだ、バネ１６の付勢力に抗してクランクの移動子Ｐをプランジャに打撃的に接触後、上方に移動させ、吸入弁Ｖ１を閉鎖し、かつ吐出弁Ｖ２を開放して、ポンプ室１７内の気体を圧縮して吐出弁Ｖ２から排出させる（ステップ（ｂ１））。【００３５】
第二の期間Ｔ２の終了後、プランジャ１２が上死点ＤＣ２から前記移動子の動きに少し遅れて下降し、下死点ＤＣ１に到達しないうちに、移動子が下死点ＤＣ１まで下降したのち再び上昇して、プランジャ１２と当接するまでの第三の期間Ｔ３のあいだ、吸入弁Ｖ１を開放し、かつ吐出弁Ｖ２を閉鎖して、ポンプ室１７に液体を流入する（ステップ（ｃ１））。【００３６】
第三の期間Ｔ３の終了後、ポンプ１の電源を遮断するまで、ステップ（ｂ１）とステップ（ｃ１）とを繰り返し実行する（ステップ（ｄ１））。このとき期間Ｔ１は、期間Ｔ３の間にクランクに対して若干遅れて下降するプランジャに、力を開放する余裕時間を与えている。【００３７】
なお、第二の期間Ｔ２に対する第三の期間Ｔ３の比率は、１．２に近い値となる。【００３８】
また、本実施の形態のポンプ１に、後述する実施の形態２に示される逆止弁を適用すると、吸入弁と吐出弁の応答性を最適化することができる。【００３９】
本実施の形態のポンプの駆動方法によれば、ポンプ室１７の外に吐出される液体の流れが柔軟なチューブなどにより実質的に無脈流となる。【００４０】
実施の形態２
図５（ａ）、５（ｂ）および図１を参照すると、本発明のポンプに好適に用いられる逆止弁Ｖ１は、水平面に対して垂直方向に延びる、互いに連通され液体が流通する下方側流路３４および上方側流路３３と、下方側流路３４と上方側流路３３との接続部に設けられた弁座３５と、弁座３５と上方側流路３３内に設けられた弁体３６と、弁体３６の移動距離を制限するための移動制限手段３７とから構成されている。【００４１】
弁体３６は、弁座３５に支持可能に設けられたほぼ球状の本体３６ａと、本体３６ａの下方側に設けられた球体３６ｂと、本体３６ａと球体３６ｂとの間に介装される連結部として機能する細長い棒状体３６ｃとから構成される。そして、球体３６ｂと棒状体３６ｃが、逆止弁Ｖ１の開閉応答性を調整するための調整手段として機能する。【００４２】
この球体３６ｂおよび棒状体３６ｃは、本実施の形態においては、本体３６ａに浮力を与えるとともに液体の流れを受け止めて、ポンプの高速運動（１０〜３０回／秒）かつ確実なバルブの開閉動作が実現される。球体３６ｂは、本体３６ａの下方側に設けられたたとえばガラス製の球体が採用されるが、ガラス製の球体に限定されることはない。ガラス製の球体のほか、ガラス製の逆茸(mushroom)状体、ガラス製のカウル(cowl)状体など受圧に適したものとして当業者に自明のものはすべて含まれる。さらに、また、本体３６ａと球体３６ｂと棒状体３６ｃは、ガラスの中実体に限られることはなく、液体の比重によっては、１種または２種以上の金属の錘を埋め込むことが好ましい。さらに液体の比重によっては中空体であってもよい。【００４３】
また、図示されているように、前記棒状体３６ｃは、本体３６ａを弁座３５の中心部に位置ずけ、かつ暴れを防ぎ、スムーズな開閉高速動作が可能になる。棒状体３６ｃの形状も円柱状に限定されない。角柱状、円錐状、角錐状、円錐を組み合わせた形状、角錐同士を組み合わせた形状など、当業者に自明な修正、変更、変形はすべて含まれる。【００４４】
本体３６ａが弁座３５と当接している状態では、プランジャの１２の大きさ等にもよるが、たとえばプランジャ１２の直径が約１２．５ｍｍ、逆止弁の本体３６ａの自由端の直径が約１２ｍｍの場合、本体３６ａの自由端と固定子３７ａの自由端とは、約２ｍｍ離間されることが好ましいが、かかる数値に限定されるものではない。【００４５】
本実施の形態の場合、弁座３５は略円錐状を呈している。しかし、弁座３５は逆円錐状のものに限られることはなく、たとえば、円環状のものであってもよい。【００４６】
本実施の形態の場合、本体３６ａは略半球形状を呈しており、当該本体３６ａの自由端は略円形状の平坦面である。そして、球体３６ｂおよび棒状体３６ｃと、下方側流路３４との間には間隙ＣＬ２（プランジャの１２の大きさ等にもよるが、たとえばプランジャ１２の直径が約１２．５ｍｍ、逆止弁の本体３６ａの自由端の直径が約１２ｍｍの場合、０．５〜２ｍｍ程度である）が設けられているので、液体の流路が確保されている。しかし、本体３６ａの形状は半球形状に限られることはなく、たとえば回転楕円体の短軸を含む面で截断した形状であってもよい。【００４７】
また、移動制限手段３７は、上方側流路３３の内面に支持された略半球形状の固定子３７ａである。しかし、固定子３７ａの形状は半球形状に限られることはなく、たとえば回転楕円体の短軸を含む面で截断した形状であってもよい。固定子３７ａの自由端は略円形状の平坦面である。より詳しくは、固定子３７ａは、上方側流路３３に、上方側流路３３を部分的に閉塞するＩ字状の支持部３７ｂを介して固定される（図５参照）。上方側流路３３と固定子３７ａとの間には間隙ＣＬ１（プランジャの１２の大きさ等にもよるが、たとえばプランジャ１２の直径が約１２．５ｍｍ、逆止弁の本体３６ａの自由端の直径が約１２ｍｍの場合、０．５〜２ｍｍ程度である）が設けられており、これによって液体の流路が確保されている。【００４８】
かかる構成により、本実施の形態の逆止弁Ｖ１は、開閉応答性に優れ、叙上の本発明のポンプ１に適用することにより、ポンプの揚程を増大することができる。
【実施例】
【００４９】
実施例にもとづいて本発明をさらに詳細に説明する。しかしながら、本発明は実施例に限定されることはない。【００５０】
まず、１００ｃｃ（直径３５．５ｍｍ）のプランジャを用いて、実験を行なった。
（１）プランジャの一回あたりの移動量が３ｍｍのとき、１８００回毎分の吐出量は９０００ｃｃであった。
（２）プランジャの一回あたりの移動量が１ｍｍのとき、１８００回毎分の吐出量は、５４００ｃｃであった。
（３）プランジャの一回あたりの移動量が０．５ｍｍのとき、１８００回毎分の吐出量は、１８００ｃｃであった。【００５１】
つぎに、５ｃｃ（直径１２ｍｍ）のプランジャを用いて、実験を行なった。
（４）プランジャの一回あたりの移動量が３ｍｍのとき、１８００回毎分の吐出量は、１０８０ｃｃであった。
（５）プランジャの一回あたりの移動量が１ｍｍのとき、１８００回毎分の吐出量は、７２０ｃｃであった。
（６）プランジャの一回あたりの移動量が０．５ｍｍのとき、１８００回毎分の吐出量は、３６０ｃｃであった。【００５２】
つぎに、バネ１６として、硬いバネ（ばね定数が３００ｋｇｗ／ｍ）、従来用いられている硬さのバネ（ばね定数が１４０ｋｇｗ／ｍ）および軟らかいバネ（ばね定数が１００ｋｇｗ／ｍ）の３種類のバネを用いて、モータ回転数（ｒｐｍ）に対するポンプの性能（吐出量）を測定した。その結果を図５に示す。図中参照符号Ａは、ばね定数が１００ｋｇｗ／ｍのバネを用いたポンプの性能を示すグラフを示し、参照符号Ｂは、ばね定数が１４０ｋｇｗ／ｍのバネを用いたポンプの性能を示すグラフを示し、参照符号Ｃは、ばね定数が３００ｋｇｗ／ｍのバネを用いたポンプの性能を示すグラフを示している。
【産業上の利用可能性】
【００５３】
本発明のポンプによれば、ポンプ室と、液体をポンプ室に吸入する際に開放される吸入弁を介して液体をポンプ室に吸入する吸入路と、該ポンプ室から液体を吐出する際に開放される吐出弁を介して液体をポンプ室の外に吐出するための吐出路と、該ポンプ室と連通されたシリンダと、該シリンダ内に摺動自在に設けられ、かつバネにより下死点側に付勢されたプランジャと、当該プランジャと当接して当該プランジャを上方に打撃する移動子とからなり、前記移動子が電動モータの回転軸の回転運動を上下運動に変換する運動変換手段を介して上下運動し、
下降中のプランジャが前記移動子とが離間されているので、コンパクトな構成で、かつ低電力で動作させても、高吐出圧力、大容量が得られるばかりでなく実質的に無脈流が得られるポンプを提供することができる。また、請求項５にかかわるポンプによれば、弁体が、前記弁座に支持可能に設けられた本体と、該本体の下方側に設けられ、開閉応答性を調整するための調整手段とを備えた逆止弁を備えているので、吸入弁と吐出弁の応答性が著しく改善される。【００５４】
このため、たとえば焼却施設では排ガス中の塩化水素を除去する目的で塩化水素濃度に対応した薬剤投入を行なっているが、測定装置の応答性がわるいため、迅速な制御ができず、薬剤を過剰に投入し、廃棄薬剤が二次的な公害を引き起こす原因になっている。そこで本発明のポンプを塩化水素の測定装置に適用すれば、応答性の改善がはかれ薬剤の投入量を最適化でき、二次公害の拡大を防止できる。【００５５】
本発明のポンプ（無脈動のポンプ）は、このほか、化学・食品工業における各種原料の連続混合注入、塗装ラインにおける塗料移送システム、印刷工程におけるインクの混合移送、薬品原料の連続定量注入、各種添加剤の均等混合に適用され得る。
【図１】
2007015429.tif 000002
【図２】
2007015429.tif 000003
【図３】
2007015429.tif 000004
【図４】
2007015429.tif 000005
【図５】
2007015429.tif 000006
【図６】
2007015429.tif 000007
【国際調査報告】
2007015429.tif 000008
2007015429.tif 000009
2007015429.tif 000010
2007015429.tif 000011